(57)【要約】【課題】まちづくり計画地の気象特性の的確な把握と緑化との相関性をより効果的に結合可能にし、資源エネルギーの有効利用を図ること。【解決手段】まちづくり計画地１の気候特性把握と緑化方法として、まず、計画地１の周辺建物、自然環境、立地条件等を調査する（第１工程）。次に、その調査結果に基づいて、計画地１周辺の地域気象観測システムの観測点（アメダスポイント）２で得られる気象条件を基準にして計画地１の気象条件の傾向を推測する（第２工程）。次に、計画地１の気候特性を調整して夏涼しく、冬暖かい室内気候を創造するために道路・宅地割り設計、植栽設計を行う（第３工程）。そして、それらの設計にしたがって計画地１に樹木等を植栽し緑化する。【選択図】図１
2006132139.tif 000002
【特許請求の範囲】
【請求項１】
微気候を有効利用したまちづくり計画地の気候特性把握と緑化方法であって、
前記計画地の周辺建物、自然環境、立地条件等を調査する第１工程と、
その調査結果に基づいて、前記計画地周辺の地域気象観測システムの観測点で得られる気象条件を基準にして計画地の気象条件の傾向を推測する第２工程と、
前記計画地の気候特性を調整して夏涼しく、冬暖かい室内気候を創造するために道路・宅地割り設計、植栽設計を行う第３工程と、を含むことを特徴とする、まちづくり計画地の気候特性把握と緑化方法。
【請求項２】
前記第２工程では、計画地が地域気象観測システムの観測点間にある場合に、計画地周辺の複数の観測点で得られる気象データに基づいて、計画地がどの観測点における気象条件の傾向を示すかを推測することを特徴とする、請求項１に記載のまちづくり計画地の気候特性把握と緑化方法。
【請求項３】
前記第３工程では、夏涼しく、冬暖かい居住環境を設計するために、計画地の夏季および冬季の日照、風、雨、雪の各気象条件を、生活上のプラス要素、マイナス要素それぞれに整理する工程を含むことを特徴とする、請求項１に記載のまちづくり計画地の気候特性把握と緑化方法。
【請求項４】
前記第３工程では、計画地の気候特性の調整に、計画地内の建物そのものでコントロールする場合も含ませることを特徴とする、請求項１に記載のまちづくり計画地の気候特性把握と緑化方法。
【請求項５】
前記第３工程では、道路・宅地割り設計、植栽設計に加えて住宅設計を更に備え、まちづくりの初期段階において、区分けした気候特性に関するプラス要素の室内への取り入れ方と、マイナス要素を道路・宅地割り設計、植栽設計、住宅設計のどの部分で対応することが長期的にみて最も資源エネルギーの使用が少なく、かつ美しいまちとして熟成されるかを総合的に判断する工程を含むことを特徴とする、請求項１乃至４の何れかに記載のまちづくり計画地の気候特性把握と緑化方法。
【発明の詳細な説明】
【技術分野】
【０００１】
本発明は、微気候を有効利用したまちづくり計画地の気候特性把握と緑化方法に関する。
【背景技術】
【０００２】
かつて資源エネルギーを利用できなかった時代、人々は暑さ寒さを少しでも和らげ、気持ちよく過ごそうといろいろな工夫をしてきた。住まいは現在のように内外が明確に区切られていなかったため、周辺の自然環境と有機的に連続していた。そして、水や緑、風、太陽など自然エネルギーの恵みを借りて、住まいの周辺環境を冬は暖かく、夏は涼しく変化させる知恵があった。特に樹木には周辺の気候を緩和する微気候形成の機能があり、家のまわりにヒューマンスケールの気候を作り上げていた。
【０００３】
しかし現代では、植栽が果たしてきた機能が住宅設備などに置き換えられるようになり、主に審美的な対象として据えられるようになった。見た目の美しさといった審美的機能にウエイトが偏り、微気候形成機能の役割が小さくなってしまった。その為、生活環境を向上させる上での重要な役割である、微気候にはほとんど配慮されていないのが現状である。
【０００４】
例えば、近年の住宅団地開発は、計画地の自然環境や社会環境に配慮することは希で、販売や利益を優先させた事業計画が一般的であり、その結果として、時間の経過とともに良質な町並みが形成されることは皆無といっても良いような現状である。
【０００５】
一方、全国各地に現存している伝統的なまちや集落は、地域の自然環境に寄り添うような、美しい佇まいを残す例が多く見受けられる。その建物周辺環境には、気候風土や立地環境を考慮した緑化など、蒸し暑い夏と厳しい冬に対して心地よく暮らせるよう、数々の工夫をかいま見ることができる。
【０００６】
７０年代のエネルギー危機、８０年代の地球環境問題を経て、環境と共存した住まいづくり・まちづくりが求められるようになってきた。しかし、エコロジカルな時代に適合するような、自然環境や生態系に配慮し、健康的で住み手に愛着がわいてくるようなまちづくりはどのようにしたらよいのか、その開発手法はいまだ明確ではない。
【０００７】
近年のまちづくりにおける計画素地は、伝統的なそれとは異なり条件が大きく変化している。埋め立て地や原野のように新たに居住環境と自然環境をつくる場合、地形や植生を破壊した造成宅地、里山や林地などの環境を活用したまちづくりなど、多岐にわたっている。
【０００８】
このような問題は個々の住宅レベルで推進していくことよりも、周辺環境を含むまち全体として行うことが重要かつ効果的であり、それにより環境問題の改善を図れることが予想される。例えば、大規模なまちづくり計画地の造成を行う場合においては、計画地全体に微気候が効果的に形成されるように設計し造成する必要がある。従来においても、山林斜面の緑地を利用することや、その地に生えている自然林地帯の自然林を公園の緑として利用することなどが行われていた（例えば、特許文献１参照）。
【０００９】
【特許文献１】特開２００２−２２０８３９
【００１０】
しかしながら、上記従来例においては、樹木を調達して植栽するためのコスト削減および景観には配慮されていたが、微気候が効果的に形成される植栽方法については配慮されていなかった。また、人間は他の生物と同様に気候風土に合致するよう長い時間をかけて進化してきたが、最近の住宅内のあまりにも変化のない均質な人工環境調整は生物学的には不健康であるという指摘もされている。
【００１１】
このような視点から、住宅の室内環境は空気調和など人工的な手法での環境調整を主体として考えるのではなく、その地域の気候風土の特性を活かした自然気候調節を主とし、それだけではカバーしきれない夏の暑さ、冬の寒さに対して人工的な手段で補う必要性がある。したがって、これからの計画地は資源エネルギーに依存しすぎることなく、樹木のもつ潜在的な微気候形成機能を活用した総合的な環境整備が必要である。
【発明の開示】
【発明が解決しようとする課題】
【００１２】
以上の点を考慮した上での計画地の緑化に際しては、計画地の気象特性の把握が重要なポイントとなる。それは、微気候を有効利用したまちづくり計画地の気候特性に配慮した緑化を行う必要があるからである。特に、計画地の気象特性の的確な把握と緑化との相関性をより効果的に結合することで、資源エネルギーの有効利用を図ることが可能になる。
【００１３】
しかし、計画地の気象特性の把握は困難な場合が多い。計画地がアメダスポイント（地域気象観測システムの観測点）付近の狭い範囲である場合には、そのアメダスポイントの気象データを参考にする方法もあるが、アメダスポイントから離れ、まちづくり計画地自体も広範囲に及ぶ場合には、計画地の気象特性はアメダスポイントの気象特性と大きく異なる場合が多いからである。さらに、計画地内においても区画ごとに気象特性が異なる場合もある。
【００１４】
よって、本発明の課題は、計画地の気象特性の的確な把握と緑化との相関性をより効果的に結合することができ、これにより資源エネルギーの有効利用を図ることができる、微気候を有効利用したまちづくり計画地の気候特性把握と緑化方法の技術を提供することにある。
【課題を解決するための手段】
【００１５】
本発明のまちづくり計画地の気候特性把握と緑化方法は、微気候を有効利用したまちづくり計画地の気候特性把握と緑化方法であって、計画地の周辺建物、自然環境、立地条件等を調査する第１工程と、その調査結果に基づいて、計画地周辺の地域気象観測システムの観測点で得られる気象条件を基準にして計画地の気象条件の傾向を推測する第２工程と、計画地の気候特性を調整して夏涼しく、冬暖かい室内気候を創造するために道路・宅地割り設計、植栽設計を行う第３工程と、を含むことを特徴としている。
【００１６】
本発明によれば、まちづくり計画地周辺の地域気象観測システムの観測点で得られる気象条件を基準にして計画地の気象条件の傾向を推測する工程を採用しているので、計画地の気候特性を容易かつ的確に把握できる。そして、計画地の気候特性を調整して夏涼しく、冬暖かい室内気候を創造するために、道路・宅地割り設計、植栽設計を行うことで、計画地の気象特性の的確な把握と緑化との相関性をより効果的に結合することができる。これにより、計画地全体での資源エネルギーの使用を効率的に節減することが可能になる。
【００１７】
本発明では、計画地が地域気象観測システムの観測点間にある場合に、計画地周辺の複数の観測点で得られる気象データに基づいて、計画地がどの観測点における気象条件の傾向を示すかを推測する方法を積極的に採用することが好ましい。計画地周辺の１つの観測点で得られる気象データを基準にするよりも２以上の観測点で得られる気象データを基準にして計画地の気象条件の傾向を推測する方がより的確に把握できるからである。
【００１８】
本発明では、夏涼しく、冬暖かい居住環境を設計するために、計画地の夏季および冬季の日照、風、雨、雪の各気象条件を、生活上のプラス要素、マイナス要素それぞれに整理する工程を行うことが望ましい。その際、計画地の気候特性の調整に、計画地内の建物そのものでコントロールする場合も含ませることが望ましい。
【００１９】
本発明では、道路・宅地割り設計、植栽設計に加えて住宅設計を更に備え、まちづくりの初期段階において、区分けした気候特性に関するプラス要素の室内への取り入れ方と、マイナス要素を道路・宅地割り設計、植栽設計、住宅設計のどの部分で対応することが長期的にみて最も資源エネルギーの使用が少なく、かつ美しいまちとして熟成されるかを総合的に判断する工程を含むことが望ましい。
【００２０】
このような方法によれば、計画地内に微気候を長期的かつ最大限に形成することが可能となり、計画地内を快適で健康的な生活環境とすることができる。また、樹木による自然エネルギーの利用が図られることで、建物内の冷暖房等の使用を減らすことができ、資源エネルギーの大幅な削減を図ることができる。これにより、温暖化現象などの地球環境問題に配慮された、環境と共生可能なまちづくりとすることができる。
【発明を実施するための最良の形態】
【００２１】
以下、本発明の実施の好適な形態について、図面を参照して説明する。
図１はまちづくり計画地がアメダス地点間にある場合の気象予測例を示す説明図であり、図２は計画地がアメダスポイント付近にある場合の気象予測例を示す説明図である。図３はアメダスでは読み切れない計画地の気象特性予測例を示す説明図である。図４は計画地の気候特性把握のための説明図である。図５は計画地の気候特性の整理と緑化例を示す説明図である。
【００２２】
まちづくり計画地１の気候特性把握と緑化方法として、まず、図１及び図２に示すように、計画地１の周辺建物、自然環境、立地条件等を調査する（第１工程）。次に、その調査結果に基づいて、計画地１周辺の地域気象観測システムの観測点（アメダスポイント）２で得られる気象条件を基準にして計画地１の気象条件の傾向を推測する（第２工程）。次に、計画地１の気候特性を調整して夏涼しく、冬暖かい室内気候を創造するために道路・宅地割り設計、植栽設計を行う（第３工程）。そして、それらの設計にしたがって計画地１に樹木等を植栽し緑化する。なお、緑化のための植栽については樹木に限らず地被類も含む。
【００２３】
以下に、計画地の気象特性の的確な把握と緑化との相関性をより効果的に結合させる方法について順次説明する。
【００２４】
＜アメダスデータの活用＞
計画地１の気象条件の傾向を推測するには、アメダスデータをいかに的確かつ効果的に活用できるかが重要なポイントとなる。アメダスデータは全国に約１３００箇所あり、降水量を自動的に計測するロボット雨量計が設置されている。そのうち、８４２箇所では気温、相対湿度、風向、風速、降水量、日照などの自動気象計が設置されており、そのデータは１時間毎に気象庁へ送られている。
【００２５】
ＡＭｅＤＡＳは、Automated Meteorological Data Acquisition System の頭文字をとったもので、正式名称は地域気象観測システムと称されている。アメダスは急稜な山岳地帯などを除き約２０ｋｍメッシュごとに設置されているため、微気候デザインの住まいづくり・まちづくりには、そのデータを活用することがポイントとなる。
【００２６】
＜計画地がアメダス地点間にある場合の気象予測＞
アメダスＡ：図１に示すように、気象条件に市街地３の市街地特性の傾向があることをまず認識する。
（市街地の気候特性）
夏：ヒートアイランド現象の影響が現れやすく、最高・最低気温が周辺地域よりも高めの傾向で、気温の日較差も少ない。
冬：平均気温は周辺地域より高めの傾向。
風：建物による影響で強風については周辺地域よりも比較的低めである。またビル４の存在によるビル風などの影響で、市街地特有の局地的強風域が発生する場合がある。市街地内の河川や道路は、風の通り道になる。
【００２７】
アメダスＢ：周辺は平坦な農地で市街地３などのヒートアイランド現象は発生しないが風向により市街地からの熱の影響が出る場合もある。
夏：市街地３より気温の日較差がある。
冬：市街地３より気温の日較差がある。
風：防風林などがあれば風速は緩和されるが、一般的に市街地より風は強い。
したがって、計画地１については、アメダスＡ、アメダスＢどちらの気象条件の傾向を示すか、周辺建物、自然環境、立地条件をよく調査した上で推測する。図１において、５は河川、６は道路を示す。
【００２８】
＜アメダスポイント付近でも気象条件は異なる＞
図２に示すように、計画地１がアメダスポイント２からわずか１〜２ｋｍ離れた地点であっても、計画地周辺の地形の影響により、気象条件はかなりの差が出る場合がある。市街地３にあるアメダスポイント２において、冬の北西の季節風は、その北側にある丘陵８によって相当緩和される。計画地１北および西方には水田７や河川５があり、季節風を遮るものがないため、アメダスポイント２より風が強くなることが予測される。また、低気圧や台風の通過ルートによっては、南東〜北よりの強風をまともに受けるようになる。夏季の日中、河川５に沿って涼風が吹き、また夜間は南西側の丘陵より冷気の下降流９が発生し、アメダスポイント２とは異なった風環境になる。これらの風を上手に活用してまちづくりをすると、気持ちよい生活環境を創造できる。
【００２９】
＜アメダスでは読み切れない計画地の気象特性予測＞
図３に示すように、計画地１の近傍にアメダスポイント２があったとしても、ちょっとした立地条件の違いで、異なった気候特性をあらわす。
（市街地／郊外）：計画地１はアメダスポイント２のある市街地３のような都市型の環境ではなく、夏の熱帯夜は少なく、冬は気温が低い。また風環境は計画地周辺の緑地状況によって判断する。
（市街地／水のそば）：市街地３と比較し気温は夏涼しく、冬は暖かい傾向がある。また水１０は熱容量が大きいため、天気予報では雪でも河川や海のそばはみぞれになる場合がある。強風対策に注意が必要である。
（標高差の有無）：１００ｍ標高が上がる毎に気温は約０．６℃低くなる。しかし１００ｍ〜２００ｍほど登ると、周辺地形によっては計画地１では気温の逆転層が形成され、下の地区（アメダスポイント２）よりも冬暖かい場合がある。
（丘陵の有無）：風向によりアメダス観測地よりも風速が高い傾向になるが、これは計画地付近に丘陵８があり、風の収束が発生するためである。また夜間は冷気の下降流が発生し、夏は涼しいが、冬はアメダス地点２より気温の低下がみられる。こうした場合、冷気を止めるための植栽は有効である。
【００３０】
＜計画地の気候特性の把握＞
四季それぞれに気持ちよく暮らせる生活環境を創造するためには、地形や周辺環境も考慮しながら、計画地１の気候特性を明確かつ的確に把握することが第一歩になる。次に、夏涼しく冬暖かい居住環境を設計するためには、計画地の夏季および冬季の日照、風、雨、雪の各気候条件を、生活上のプラス要素、マイナス要素それぞれに整理する作業が重要になる。まちづくりの初期段階において、区分けした気候特性に関するプラス要素はどのように室内に取り入れ、またマイナス要素は道路・宅地割り設計、植栽計画、住宅設計のどの部分で対応することが長期的にみて最もエネルギーが少なく、かつ美しく、そして愛着のわくまちとして熟成されるかなどを総合的に判断する必要がある。なお、図４においては、夏におけるプラス要素とマイナス要素を、冬におけるプラス要素とマイナス要素をそれぞれ図表として図解した例を示している。
【００３１】
＜計画地の気候特性の整理と緑化＞
生活環境を夏・冬ともに気持ちよいものにするためには、それぞれの季節ごとの日射・熱・風・雨・雪のコントロールがポイントになる。気候特性を整理して夏涼しく、冬暖かい室内気候を創造するためには、道路・宅地割り設計、植栽設計（建物外部環境）と建物そのものでコントロールする場合が考えられるが、ここではまず、図５に示すように、建物外部空間における緑化対応の視点で整理してみる。
【００３２】
特に、日射と熱と風のコントロールは夏・冬相反する要素があるため、どちらか一方の季節のみを重視して対応すると、逆の季節には大きなデメリットを生じるため、緑化だけでなく建物の性能についても目を配りながら対策をたてる必要がある。まちづくりにあたっては、その規模にもよるが、周辺環境の影響で、まち全体でなくまちのある区画のみにからむ気候特性対応も発生する点に配慮する必要がある。
【００３３】
この図５においては、気候特性整理項目として、日射のコントロール、熱のコントロール、風のコントロール、雨のコントロール、雪のコントロールについて、それぞれ夏／冬と緑化の相関性を効果的に結合できるように、図表として例示してある。したがって、この図表を参照することで、緑化対策を的確に実施することができる。
【図面の簡単な説明】
【００３４】
【図１】まちづくり計画地がアメダス地点間にある場合の気象予測例を示す説明図。
【図２】計画地がアメダスポイント付近にある場合の気象予測例を示す説明図。
【図３】アメダスでは読み切れない計画地の気象特性予測例を示す説明図。
【図４】計画地の気候特性把握のための説明図。
【図５】計画地の気候特性の整理と緑化例を示す説明図。
【符号の説明】
【００３５】
１  計画地
２  アメダスポイント
３  市街地
４  建物（ビル）
５  河川
６  道路
７  水田
８  丘陵
９  下降流
１０  水（海や湖）
【図１】
2006132139.tif 000003
【図２】
2006132139.tif 000004
【図３】
2006132139.tif 000005
【図４】
2006132139.tif 000006
【図５】
2006132139.tif 000007